(57)【要約】【課題】リーダライタと非接触で通信を行なうＩＣカードを携行する際、ＩＣカード所持者が意図しない状況下での第三者によるＩＣカードの不正な読み書きを防止する。【解決手段】上記目的を達成するために、ＩＣカード１０は、リーダライタとの通信の制御を行なうＩＣチップ１７と、アンテナ１２と、ＩＣチップ１７に接続されたスイッチ１５とを備え、ＩＣチップ１７は、スイッチ１５のＯＮ／ＯＦＦを検出し、ＯＮになると通信を開始するようした。【選択図】図１
2006209569.tif 000002
【特許請求の範囲】
【請求項１】
通信制御を行なうＩＣチップと、リーダライタとの間でデータの送受信を行なうためのアンテナとを備えたＩＣカードにおいて、前記ＩＣチップに接続されたスイッチを備え、前記ＩＣチップは、前記スイッチのＯＮ／ＯＦＦを検出し動作することを特徴とする非接触式ＩＣカード。
【請求項２】
前記ＩＣチップは、前記スイッチがＯＮになったことを検出し、前記リーダライタと通信を開始することを特徴とするＩＣカードの通信方法。
【発明の詳細な説明】
【技術分野】
【０００１】
本発明は、電磁波を用いて非接触でリーダライタとの通信を行なうＩＣカードに関するものである。
【背景技術】
【０００２】
近年、電磁波を利用しリーダライタとの間で非接触でデータの授受を行える非接触ＩＣカード（以下、「ＩＣカード」と呼ぶことがある。）が多数出てきている。
【０００３】
図４は、このようなＩＣカードの内部ブロック図を示したものであり、非接触ＩＣカード１は、リーダライタ等の外部機器との通信の制御を行なうＩＣチップ２と、データの送受信及び動作電力を受ける受電手段としてのアンテナ５を備え、リーダライタからの電磁波を動作電力として使用する。
【０００４】
しかしながら、このようなＩＣカードは、電磁波により動作するため、カード所持者が、無意識のうちにデータの送受信が行なわれる可能性があり、第三者から不正に情報を取得されるというような情報漏洩等のセキュリティの面において課題がある。
【０００５】
このような課題に鑑み、特許文献１では、アンテナを備えたアンテナユニットと、ＩＣチップが内蔵されたＩＣカード本体とを別構成にし、利用者が、使用するときにだけアンテナユニットをＩＣカード本体に接続すれば良いため、カード所持者が無意識のうちに情報が盗まれるというような情報漏洩等の課題を解決できるというものである。
【０００６】
また、特許文献２には、図５に示されるように、アンテナ８の一部にスイッチ９を配設したものが公開されており、本構成によれば、カード所持者が、強制的にスイッチ９をＯＮにしない限り、ＩＣチップ６に電源が供給されないため、前記課題を解決できるというものである。
【特許文献１】特開２０００−２５９８００号公報
【特許文献２】特開２０００−３０６０６６号公報
【発明の開示】
【発明が解決しようとする課題】
【０００７】
しかしながら、特許文献１の構成では、第三者がＩＣカードのデータを不正に読み出すことを防止することは可能であるが、アンテナユニットを忘れると利用できないとともに、携行しづらいというように、利便性の面において課題がある。
【０００８】
また、特許文献２の構成では、特許文献１のような課題は無いが、アンテナの一部にスイッチを設けているため、アンテナのインピーダンス等の変化により通信の安定性の面で課題があるとともに、通信中は、常にスイッチを押下していなければならないため利便性においても課題がある。
【０００９】
本発明は、前記課題に鑑み、情報漏洩等のセキュリティの面の課題を解決するとともに、利便性が良いＩＣカードを提供することを目的とする。
【課題を解決するための手段】
【００１０】
上記目的を達成するために、本発明の請求項１記載の発明は、通信制御を行なうＩＣチップと、リーダライタとの間でデータの送受信を行なうためのアンテナとを備えたＩＣカードにおいて、前記ＩＣチップに接続されたスイッチを備え、前記ＩＣチップは、前記スイッチのＯＮ／ＯＦＦを検出し動作するようにした。
【００１１】
係る構成によれば、ＩＣカードの所持者が、強制的にスイッチをＯＮにしなければ、ＩＣチップが動作しないため、情報漏洩を防止できるとともに、通信の安定性を確保することができる。
【００１２】
また、請求項２記載の発明は、前記ＩＣチップは、前記スイッチがＯＮになったことを検出し、前記リーダライタと通信を開始する。
【００１３】
係る構成によれば、ＩＣチップは、スイッチがＯＮになったことを１回検出すれば良く、ＩＣカードの所持者は、通信中スイッチをＯＮに維持しておく必要がなくなるため、利便性が良い。
【発明の効果】
【００１４】
以上説明したように、本発明のＩＣカードによれば、第三者による不正アクセスを防止できるとともに、利便性の面においても向上を図ることができる。
【発明を実施するための最良の形態】
【００１５】
以下、本発明の実施形態について、図面を参照しながら説明する。
【００１６】
図１は、本発明のＩＣカードの回路構成図を示したものであり、図１に示されるように、ＩＣカード１０は、リーダライタ（図示せず）との通信の制御を行なうＩＣチップ１７と、アンテナ１２と、ＩＣチップ１７に接続されたスイッチ１５とを備えている。
【００１７】
図示されてないが、ＩＣチップ１７の内部は、マイコン及びプログラムや情報を記憶するためのメモリなどから構成され、リーダライタとの間で情報の送受信を行なう。
【００１８】
また、スイッチ１５の２つの端子は、ＩＣチップ１７の内部のマイコンの２つのポートに接続され、２つのポートのうち、１つは出力ポート、もう１つは入力ポートに接続され、マイコンは、出力ポートに所望の電圧を出力することにより、スイッチ１５のＯＮ／ＯＦＦの検出ができるような構成となっている。
【００１９】
アンテナ１２は、リーダライタとデータの送受信のために使用される以外にＩＣチップ１７を動作させるための電力を受ける受電手段としても使用される。即ち、リーダライタから送信された電磁波によってコイル部に電力が誘起するので、その電力をＩＣチップ１７の駆動電源として使用する。
【００２０】
図２は、本発明のＩＣカードの構成を示す断面図であり、ＩＣカード１０は、例えば、アルミ等の金属により電極１５ｂと電極１５ｃとアンテナ回路（図示せず）とが形成され、ＩＣチップ１７が実装された基材２０を両面側から中間接着層２１で挟み込み、更にその外側を樹脂シート２５ａと樹脂シート２５ｂとで挟み込んで、合計５層構造で構成されている。
【００２１】
ここで、電極１５ｂと電極１５ｃは、ＩＣチップ１７の所望の端子に電気的に接続され、また、樹脂シート２５ａ上の、電極１５ｂと電極１５ｃの相対する面には、例えばアルミ等の金属で電極１５ａが形成されている。
【００２２】
図１に述べたスイッチ１５は、電極１５ａ、電極１５ｂ、電極１５ｃとにより構成され、図２の矢印Ａ方向からの押圧により、電極１５ａが、電極１５ｂと電極１５ｃに接触するような構成とする。
【００２３】
次に、本発明のＩＣカードによる通信方法について図１及び図３を参照しながら説明する。
【００２４】
図３は、本発明のＩＣカードの通信方法を示すフローチャートである。
【００２５】
ＩＣチップ１７は、電力が供給され起動（ステップＳ１）すると、まずスイッチ１５のＯＮ／ＯＦＦを判定し（ステップＳ２）、ステップＳ２の判定の結果、スイッチ１５がＯＮの場合、リーダライタとの通信を開始する（ステップＳ３）。
【００２６】
ステップＳ２の判定の結果、ＯＦＦの場合、再度、スイッチ１５のＯＮ／ＯＦＦの判定を行なうようにする。
【００２７】
以上述べたように、本発明のＩＣカードによれば、ＩＣチップ１７が、スイッチ１５のＯＮ／ＯＦＦを判定し、ＯＮにならなければ、通信を開始しないようにすることができるため、ＩＣカードの所持者が、強制的にスイッチをＯＮにしない限り、ＩＣカードは、リーダライタ等の外部機器に対し、内部に記憶された情報を送信せず、第三者から不正に情報を取得されることを防止することが可能となる。
【００２８】
また、スイッチのＯＮ／ＯＦＦを、ＩＣチップ内部のマイコンにより検出しているため、ＩＣカードの所持者が通信中においてＯＮを維持する必要はなくなり、利便性において向上が図られる。
【００２９】
なお、上記説明において、スイッチを構成する電極の材料をアルミなどの金属を例に上げ説明したが、これに限られるものでなく、カーボン等の低抵抗の材料であれば良い。
【産業上の利用可能性】
【００３０】
本発明の非接触で通信を行なうＩＣカードに適用が可能であり、セキュリティを高める手段として有用である。
【図面の簡単な説明】
【００３１】
【図１】本発明のＩＣカードの回路構成図
【図２】本発明のＩＣカードの構造を示す断面図
【図３】本発明のＩＣカードの通信方法を示すフローチャート
【図４】従来のＩＣカードの回路構成図
【図５】特許文献２に記載されたＩＣカードの回路構成図
【符号の説明】
【００３２】
１、１０  ＩＣカード
２、１７  ＩＣチップ
【図１】
2006209569.tif 000003
【図２】
2006209569.tif 000004
【図３】
2006209569.tif 000005
【図４】
2006209569.tif 000006
【図５】
2006209569.tif 000007